(57)【特許請求の範囲】
【請求項１】
測定対象の電圧制御発振器を所定周波数で発振させるようにＰＬＬ回路によって制御すると共に、前記電圧制御発振器に電源電圧を印加し、前記電源電圧を前記ＰＬＬ回路による周波数制御が追従出来ないスピードで所定の範囲変動させたことを特徴とする電圧制御発振器の発振周波数変動測定方法。
【請求項２】
前記電源電圧に交流電圧を重畳することによって前記所定の範囲変動させたことを特徴とする請求項１に記載の電圧制御発振器の発振周波数変動測定方法。
【請求項３】
測定対象の電圧制御発振器を所定周波数で発振させるＰＬＬ回路と、前記電圧制御発振器に電源電圧を印加する電圧源と、少なくとも発振周波数の最高周波数と最低周波数とを視認可能な周波数測定手段とを備え、前記電源電圧を前記ＰＬＬ回路による周波数制御が追従出来ないスピードで所定の範囲変動させたことを特徴とする電圧制御発振器の発振周波数変動測定装置。
【請求項４】
前記電源電圧に交流電圧を重畳することによって前記所定の範囲変動させたことを特徴とする請求項３に記載の電圧制御発振器の発振周波数変動測定装置。
【請求項５】
前記交流電圧を前記電源電圧に重畳するための電圧重畳回路を前記電圧源に設けたことを特徴とする請求項４に記載の電圧制御発振器の発振周波数変動測定装置。
【請求項６】
前記周波数測定手段をスペクトラムアナライザーとしたことを特徴とする請求項３乃至５のいずれかに記載の電圧制御発振器の発振周波数変動測定装置。
【発明の詳細な説明】
【０００１】
【発明の属する技術分野】
本発明は、電源電圧を変えたときに変動する発振周波数を迅速に測定する電圧制御発振器の発振周波数変動測定方法並びに電圧制御発振器の発振周波数変動測定装置に関する。
【０００２】
【従来の技術】
携帯電話機等に使用される電圧制御発振器は電圧源である電池の電圧が低下するとその発振周波数が変動するが、規格によって変動幅が規定されている。そのため、製品の出荷に先立ち電源電圧による発振周波数の変動幅を必ず検査している。
【０００３】
しかし、一般に電圧制御発振器の発振周波数は電源電圧を印加してから数分の間は安定しないで変動する。これは起動ドリフトと呼ばれ、内部の回路素子（代表的には発振トランジスタ）の温度上昇によるデバイスパラメータの変動に起因している。そのため、発振周波数が安定してから電圧を変化させ（例えば定格電圧に対して１０％の幅で）、変化したときの発振周波数を測定するようにしていた。
【０００４】
【発明が解決しようとする課題】
しかし、発振周波数が安定するまでに長い時間を要するため、検査作業の効率が低下し、生産ラインに検査工程を組み入れると生産効率が落ちるという問題があった。
【０００５】
そこで、本発明の電圧制御発振器の発振周波数変動測定方法では起動ドリフトに無関係に素早く発振周波数の変動を測定できるようにすることを目的とする。また、本発明の電圧制御発振器の測定装置では素早く測定可能な電圧制御発振器の発振周波数変動測定装置を提供することを目的とする。
【０００６】
【課題を解決するための手段】
上記課題を解決するため、本発明の電圧制御発振器の発振周波数変動測定方法では、測定対象の電圧制御発振器を所定周波数で発振させるようにＰＬＬ回路によって制御すると共に、前記電圧制御発振器に電源電圧を印加し、前記電源電圧を前記ＰＬＬ回路による周波数制御が追従出来ないスピードで所定の範囲変動させた。
【０００７】
また、本発明の電圧制御発振器の発振周波数変動測定方法は、前記電源電圧に交流電圧を重畳することによって前記所定の範囲変動させた。
【０００８】
また、本発明の電圧制御発振器の発振周波数変動測定装置では、測定対象の電圧制御発振器を所定周波数で発振させるＰＬＬ回路と、少なくとも前記電圧制御発振器に電源電圧を印加する電圧源と、発振周波数の最高周波数と最低周波数とを視認可能な周波数測定手段とを備え、前記電源電圧を前記ＰＬＬ回路による周波数制御が追従出来ないスピードで所定の範囲変動させた。
【０００９】
また、本発明の電圧制御発振器の発振周波数変動測定装置は、前記電源電圧に交流電圧を重畳することによって前記所定の範囲変動させた。
【００１０】
また、本発明の電圧制御発振器の発振周波数変動測定装置は、前記交流電圧を前記電源電圧に重畳するための電圧重畳回路を前記電圧源に設けた。
【００１１】
又、本発明の電圧制御発振器の発振周波数変動測定装置は、前記周波数測定手段をスペクトラムアナライザーとした。
【００１２】
【発明の実施の形態】
先ず、図１に従って本発明の電圧制御発振器の発振周波数変動測定方法及び電圧制御発振器の発振周波数変動測定装置を説明する。図１は上記測定方法及び測定装置を実施するためのブロック構成図であり、測定対象の電圧制御発振器１は発振周波数を変えるためのバラクタダイオード１ａを有している。そして、ＰＬＬ回路２によって所定の周波数ＦＣで発振するように制御される。そのために、発振信号はＰＬＬ回路２に入力され、ＰＬＬ回路２からは電圧制御発振器１の発振周波数が前記所定の周波数Ｆｎとなるような制御電圧Ｖｔを出力して此を電圧制御発振器１のバラクタダイオード１ａに印加するように構成している。
【００１３】
この結果、電圧制御発振器１に電源電圧を印加して動作させた場合に、電圧制御発振器１の起動ドリフトによって発振周波数が変動しようとしても、最初に設定された周波数で発振するようにＰＬＬ回路２によって制御される。
発振信号は周波数測定手段であるスペクトラムアナライザー３にも入力される。
【００１４】
一方、電圧制御発振器１に印加する電源電圧は電圧源４から出力する。電圧源４は直流電圧源４ａと交流電圧源４ｂと電圧重畳回路４ｃとを有し、直流電圧源４ａからの直流電圧と交流電源４ｂからの交流電圧とが電圧重畳回路４ｃに入力される。そして、図２に示すような、直流電圧に交流電圧が重畳された電圧が電圧重畳回路４ｃから出力され、電圧制御発振器１に印加される。
【００１５】
ここで、直流電圧の値Ｅは電圧制御発振器１を通常の動作で使用させる場合の定格電圧であり、交流電圧の最大値（ピーク値）ｖは例えば直流電圧値Ｅの１０％である。此によって、電圧制御発振器１に印加される電源電圧は所定の範囲（ｖ＝１０％）で変動することになる。
また、交流電圧の周波数はＰＬＬ回路２のロックアップ動作が追従出来ない程度に高くなっている。
なお、交流電圧を使用することなく、図３に示すように、直流電圧をＥの１０％の幅で上下に変化させてもよい。
【００１６】
この結果、電圧制御発振器１は印加された電圧の値に対応して発振周波数が変化する。この変化はＰＬＬ回路によって制御されないので、発振信号は交流電圧の周波数でＦＭ変調を受け、スペクトラムアナライザー３の画面には図４に示すような波形が現れる。
【００１７】
図４において、ＦＬ、ＦＣ、ＦＨは、電源電圧が、例えば、それぞれＥ−１０％、Ｅ、Ｅ＋１０％のときの発振周波数である値すれば、１０％の電源電圧の変動によって、ΔＦ（＝ＦＨ−ＦＣ、又は＝ＦＣ−ＦＬ）だけ発振周波数が変動したことが測定される。
なお、スペクトラムアナライザー３に限ることなく、少なくとも発振周波数の最大値と最小値とを表示可能な周波数測定手段であれば上記のΔＦをもとめることが出来る。
【００１８】
以上のように、本発明の測定法及び測定装置では、測定対象の電圧制御発振器をＰＬＬ回路によって周波数制御しているので、電源電圧印加時に生ずる電圧制御発振器の起動ドリフトが現れず、測定を迅速に行える。
【００１９】
【発明の効果】
以上のように、本発明の電圧制御発振器の発振周波数変動測定方法では、測定対象の電圧制御発振器を所定周波数で発振させるようにＰＬＬ回路によって制御すると共に、電圧制御発振器に印加する電源電圧をＰＬＬ回路による周波数制御が追従出来ないスピードで所定の範囲変動させたので、起動ドリフトによって発振周波数が安定しない段階から周波数変動を測定することが出来る。
【００２０】
また、本発明の電圧制御発振器の発振周波数変動測定方法は、電源電圧に交流電圧を重畳することによって所定の範囲変動させたので、電源電圧を変動させることが簡単になる。
【００２１】
また、本発明の電圧制御発振器の発振周波数変動測定装置では、測定対象の電圧制御発振器を所定周波数で発振させるＰＬＬ回路と、電圧制御発振器に電源電圧を印加する電圧源と、少なくとも発振周波数の最高周波数と最低周波数とを視認可能な周波数測定手段とを備え、電源電圧をＰＬＬ回路による周波数制御が追従出来ないスピードで所定の範囲変動させたので、起動ドリフトによって発振周波数が安定しない段階から周波数変動を測定することが出来る。
【００２２】
また、本発明の電圧制御発振器の発振周波数変動測定装置は、電源電圧に交流電圧を重畳することによって所定の範囲変動させたので、電源電圧を変動させることが簡単になる。
【００２３】
また、本発明の電圧制御発振器の発振周波数変動測定装置は、交流電圧を電源電圧に重畳するための電圧重畳回路を電圧源に設けたので変動する電源電圧を容易に作ることが出来る。
【００２４】
又、本発明の電圧制御発振器の発振周波数変動測定装置は、周波数測定手段をスペクトラムアナライザーとしたので、発振周波数の変化範囲が簡単に視認可能となる。
【図面の簡単な説明】
【図１】本発明の電圧制御発振器の発振周波数変動測定装置のブロック構成図である。
【図２】本発明の電圧制御発振器の発振周波数変動測定に使用する電源電圧の波形図である。
【図３】本発明の電圧制御発振器の発振周波数変動測定に使用する電源電圧の他の波形図である。
【図４】本発明の電圧制御発振器の発振周波数変動測定装置における発振信号のスペクトルである。
【符号の説明】
１  電圧制御発振器
１ａ  バラクタダイオード
２  ＰＬＬ回路
３  スペクトラムアナライザー（周波数測定手段）
４  電圧源
４ａ  直流電源
４ｂ  交流電源
４ｃ  電圧重畳回路
【図１】
0003891771.tif 000002
【図２】
0003891771.tif 000003
【図３】
0003891771.tif 000004
【図４】
0003891771.tif 000005